(57)【特許請求の範囲】
【請求項１】
表示素子と、前記表示素子の前面側に配設される表示板と、前記表示板の裏面に前記表示素子の表示領域に対応する透過部を備えた遮光層と、前記透過部から前記遮光層に達するとともに前記表示板と前記表示素子との間を密着させる透光性スペーサーと、を備えた表示装置において、前記遮光層の前記透過部との境界部分に前記遮光層を層状に重ねるとともに前記透過部の中央側に向けて厚みが薄くなる段差部を形成したことを特徴とする表示装置。
【請求項２】
前記遮光層の前記透過部との境界部分にグラデーション部を形成したことを特徴とする請求項１に記載の表示装置。
【請求項３】
前記透光性スペーサーは、シリコーンラバーからなることを特徴とする請求項１に記載の表示装置。
【発明の詳細な説明】
【技術分野】
【０００１】
本発明は、表示素子と、この表示素子の前方に配設される表示板との間に透光性スペーサーを設けた表示装置に関するものである。
【背景技術】
【０００２】
従来の表示装置は、表示素子と、前記表示素子の表示領域に対応する透過部を有し、前記表示素子の前面側に配設される表示板と、前記表示板の裏面に前記透過部を除く領域に設けられる遮光層と、前記透過部から前記遮光層に達するとともに前記表示板と前記表示素子との間に設けた透光性ラバー樹脂からなる透光性スペーサーと、を備えたものであった。このような光性を備えることによって、前記透過部と前記表示素子の表示領域との境界を目立たないようにするものであった（例えば、特許文献１参照）。
【先行技術文献】
【特許文献】
【０００３】
【特許文献１】特開２００７−５８１８８号公報（特に、図１１）
【発明の概要】
【発明が解決しようとする課題】
【０００４】
しかしながら、このような表示装置は、前記表示板の透過部と前記遮光層の境界部分に重なる前記透光性スペーサー部分に空気溜まりが発生しやすく、空気溜まりが、生じた部分で光が反射を起こして視認性を低下させるので、空気溜まりを無くすために、前記透光性スペーサーを剥がして再度貼り付けるという作業を行っていたが、作業工程が増え、作業効率が悪いという問題点があった。
【０００５】
そこで、本発明は、前述した問題点に着目し、表示素子と、この表示素子の前方に配設される表示板との間に透光性スペーサーを設けた表示装置において、前記表示板と前記透光性スペーサーとの間に空気溜まりが、発生することを抑制することが可能な表示装置を提供するものである。
【課題を解決するための手段】
【０００６】
本発明は前記目的を達成するため、表示素子と、前記表示素子の前面側に配設される表示板と、前記表示板の裏面に前記表示素子の表示領域に対応する透過部を備えた遮光層と、前記透過部から前記遮光層に達するとともに前記表示板と前記表示素子との間を密着させる透光性スペーサーと、を備えた表示装置において、前記遮光層の前記透過部との境界部分に前記遮光層を層状に重ねるとともに前記透過部の中央側に向けて厚みが薄くなる段差部を形成したものである。
【０００７】
また、前記遮光層の前記透過部との境界部分にグラデーション部を形成したものである。
【０００８】
また、前記透光性スペーサーは、シリコーンラバーからなるものである。
【発明の効果】
【０００９】
本発明によれば、所期の目的を達成でき、表示素子と、この表示素子の前方に配設される表示板との間に透光性スペーサーを設けた表示装置において、前記表示板と前記透光性スペーサーとの間に空気溜まりが、発生することを抑制することが可能な表示装置を提供することができる。
【図面の簡単な説明】
【００１０】
【図１】本発明の第１実施形態の表示装置の断面図。
【図２】同実施形態の要部拡大断面図。
【発明を実施するための形態】
【００１１】
本発明の第１実施形態の表示装置１は、表示素子である液晶表示パネル２と、この液晶表示パネル２を照明する照明手段３と、液晶表示パネル２の前面側に配設される表示板４と、液晶表示パネル２と表示板４との間に設けた透光性スペーサー５とを備えたものである。本実施形態の表示装置１は、車両用計器に用いられるものであり、車両の走行速度やエンジンの回転数や走行距離などの車両状態を表示するものである。
【００１２】
液晶表示パネル２は、内側に透明電極を設けた一対のガラス基板に液晶を封入したものである。この液晶表示パネル２の表裏面に、それぞれ第１、第２の偏光板２ａ、２ｂが、貼り付けられている。
【００１３】
液晶表示パネル２の裏面に設けられた第１の偏光板２ａは、所定角度の偏光軸を有する直線偏光板からなり、照明手段３が発する光を偏光させるものである。
【００１４】
液晶表示パネル２の表面に設けられた第２の偏光板２ｂは、所定角度の偏光軸を有する直線偏光板からなり、液晶表示パネル２を透過した光を偏光させるものである。
【００１５】
照明手段３は、液晶表示パネル２を透過照明するものであり、図示しない発光ダイオードと、この発光ダイオードから発せられる光を液晶表示パネル２に導く導光体３ａを備えている。
【００１６】
表示板４は、透光性の合成樹脂からなり、表面側に車両用計器に用いることが可能なように、速度計などを構成する目盛りや文字などの図示しない指標部を備えている。
【００１７】
表示板４の裏面には、光を透過しない遮光層４ａが設けられている。この遮光層４ａは、暗色系で、本実施形態では黒色である。この遮光層４ａは、光を遮断するために本実施形態では、３層構造であり、遮光層４ａの厚みは、３０μｍで、各層の厚みは、１０μｍである。この遮光層４ａは、液晶表示パネル２の表示領域に対応する部分に、透過部４ｂを備えている。この透過部４ｂは、遮光層４ａを形成していない部分である。
【００１８】
遮光層４ａの透過部４ｂとの境界部分には、層状の遮光層４ａを利用して、段差部４ｃを形成している。遮光層４ａは、３層構造であり、単一の層では光が透過するが、３つの層を重ねることによって、光を遮断できる。よって、段差部４ｃでは、光の遮断の程度によって、光の透過を段階的に変化させている。
【００１９】
遮光層４ａの透過部４ｂとの境界部分、特に、段差部４ｃの透過部４ｂとの境界部分には、グラデーション部４ｄを備えている。このグラデーション部４ｄは、遮光層４ａから透過部４ｂにかけて、円からなる点を形成する密度が、低くなるように形成したものである。このグラデーション部４ｄは、遮光層４ａを形成する３層の内、もっとも表示板４側に形成された層に形成されている。
【００２０】
表示板４の前面側である表面には、第３の偏光板４ｅが、貼り付けられている。この第３の偏光板４ｅは、少なくとも透過部４ｂを覆うように、表示板４の全面に設けられている。
【００２１】
第３の偏光板４ｅは、所定角度の偏光軸を有する直線偏光板からなり、液晶表示パネル２を透過し、第２の偏光板２ｂを通った光を偏光させるものである。
【００２２】
透光性スペーサー５は、無色透明なシリコーンラバーからなり、液晶表示パネル２と表示板４との間を密着させるものである。透光性スペーサー５を設ける範囲は、透過部４ｂの全面を覆うとともに遮光層４ａの一部に達するように設けられている。
【００２３】
透光性スペーサー５が密着する遮光層４ａの透過部４ｂとの境界部分に、段差部４ｃを形成したことによって、透光性スペーサー５を表示板４に貼り付けるときに、透光性スペーサー５と表示板４との間の空気が逃げやすく、遮光層４ａの透過部４ｂとの境界部分に、空気溜まりが発生することを抑制できる。
【００２４】
また、透過部４ｂとの境界部分にグラデーション部４ｄを設けたことによって、仮に、遮光層４ａの透過部４ｂとの境界部分に、空気溜まりが発生した場合であっても、発生した空気溜まりが、グラデーション部４ｄ内に存在し、グラデーション部４ｄと空気溜まりとの区別がつくにくくなり、空気溜まりの存在を目立たなくすることができる。
【００２５】
なお、本実施形態では、表示素子に液晶表示パネル２を採用していたが、本実施形態に限定されるものではなく、例えば、有機ＥＬパネルなどを採用してもよい。
【産業上の利用可能性】
【００２６】
本発明は、表示素子と表示板との間に透光性スペーサーを設けた表示装置に利用可能である。
【符号の説明】
【００２７】
１    表示装置
２    表示素子（液晶表示パネル）
４    表示板
４ａ  遮光層
４ｂ  透過部
４ｃ  段差部
４ｄ  グラデーション部
５    透光性スペーサー
【図１】
0005381446.tif 000002
【図２】
0005381446.tif 000003